(57)【要約】      （修正有）【課題】衣服に付着したヌスビトハギ、オナモミなどの種子である、いわゆるひっつき虫を素早く取り除くことができる用具を提供する。【解決手段】そぎ取り部１の左右両側でこれと一体となった握り部（右の握り）３又は握り部（左の握り）４を手で持ち、ひっつき虫取り除き用具１５を衣服に沿わせて前後に動かすことにより、先端が衣服を傷つけない程度の鋭利ではない刃物状であるそぎ取り部１がひっつき虫をそぎ取り、そぎ取られたひっつき虫は、そぎ取り部の後方でこれと一体となった返し受け部２に受取られるか又は跳ね返されて地面に落ちるかする。【選択図】図１
0003157306.tif 000002
【実用新案登録請求の範囲】
【請求項１】
先端を、衣服を傷つけない程度の鋭利ではない刃物状とした板状のそぎ取り部、そぎ取り部の後方でこれと一体となり、そぎ取り部によりそぎ取られた植物の種子に対し返しの役割と受けの役割を併せ持つ返し受け部、及び左右で一体となった把持用の握り部を有することを特徴とする、衣服に付着した植物の種子を取り除くための用具。
【考案の詳細な説明】
【技術分野】
【０００１】  本考案は、種子が衣服に付着する植物であるヌスビトハギ、オナモミなどの種子であるいわゆるひっつき虫が衣服に付着したものを取り除くことに関するものである。
【背景技術】
【０００２】  従来ひっつき虫を取り除くことは、指先で行っていた。
【考案の概要】
【考案が解決しようとする課題】
【０００３】  衣服に付着したひっつき虫を指先で１つずつ取り除くことは、指先に負担がかかり種子を１つずつ目で追うため目が疲れ、そのため時間がかかる。【０００４】  本考案は、衣服に付着したひっつき虫を１つずつ目で追うことなく、まとめて素早く取り除くことを目的とする。
【課題を解決するための手段】
【０００５】  請求項１に記載の考案は、先端を、衣服を傷つけない程度の鋭利ではない刃物状とした板状のそぎ取り部が、ひっつき虫を衣服からそぎ取り、そぎ取り部の後方でこれと一体となった返し受け部が、そぎ取り部によってそぎ取られたひっつき虫が再び衣服に付着することを防ぐものである。そぎ取り部の左右で、これと一体となった握り部は、ひっつき虫取り除き用具を手で持ち前後に動かすための握りである。
【考案の効果】
【０００６】  先端が衣服を傷つけない程度の鋭利ではない刃物状である板状のそぎ取り部により、衣服に付着したひっつき虫を１つずつ目で追うことなくまとめてそぎ取ることができるので、指先で１つずつ取り除く場合よりも時間短縮を可能とし、指先及び目への負担を軽減できる。【０００７】  そぎ取り部によってそぎ取られた種子は、ひっつき虫取り除き用具を上から下へ動かして用いる場合には、返し受け部により下方向にはね返され地面または床に落ち、また、下から上へ動かして用いる場合には返し受け部に受取られるため再び衣服に付着することを防ぐことができる。【０００８】  握り部がひっつき虫取り除き用具の左右両側にあるため、右腕に付着したひっつき虫を取り除くには右の握りを左手で握って用いることで、左腕に付着したひっつき虫を取り除くには左の握りを右手で握って用いることで、左右どちらの腕に付着したひっつき虫も取り除くことができる。
【図面の簡単な説明】
【０００９】
【図１】本考案の第１実施形態を示すひっつき虫取り除き用具の斜視図。
【図２】第１実施形態のひっつき虫取り除き用具の正面図。
【図３】図２のＡ−Ａ線断面図。
【図４】本考案の第２実施形態を示すひっつき虫取り除き用具の斜視図。
【図５】第２実施形態のひっつき虫取り除き用具の正面図。
【図６】図５のＢ−Ｂ線断面図。
【考案を実施するための形態】
【００１０】  以下、図面を参照し、好ましい実施形態について本考案を説明する。
【実施例１】
【００１１】  図１から図３には、本考案の第１実施形態を示す。この実施形態のひっつき虫取り除き用具１５はそぎ取り部１、返し受け部２、握り部（右の握り）３、握り部（左の握り）４、そぎ取り部先端５、表側面６、裏側面７、返し受け部上面８、返し受け部側面９、及び返し受け部底面１０を備えている。【００１２】  そぎ取り部１は表側面６、裏側面７、及びそぎ取り部先端５を有する。表側面６、及び裏側面７の形状は凹凸のない平面である。これは、表側面６については、そぎ取られたひっつき虫が滑らかに返し受け部２に入っていくためであり、裏側面７については、衣服との摩擦を少なくするためである。そぎ取り部先端５は刃物状である。ただし、そぎ取り部１は衣服と接するため、衣服を傷つけない程度の鋭利ではないものでなければならない。【００１３】  そぎ取り部１は板状であり、その延長上で返し受け部２と一体となる。これは、そぎ取り部先端５でそぎ取られたひっつき虫が表側面６を通り、返し受け部２に入っていくためである。【００１４】  返し受け部２は返し受け部上面８、返し受け部側面９、及び返し受け部底面１０を有する。返し受け部底面１０は表側面６に対し直角となる。ひっつき虫取り除き用具１５を上から下へ動かして用いる場合には、返し受け部２に入ってきたひっつき虫は、返し受け部底面１０で下方向に跳ね返され、返し受け部上面８、及び返し受け部側面９があることで衣服への再付着を防がれつつ地面又は床に落ちる。また、ひっつき虫取り除き用具１５を下から上へ動かして用いる場合には、返し受け部２に入ってきたひっつき虫は、返し受け部底面１０で受取られ、返し受け部上面８、及び返し受け部側面９があることで返し受け部２の中に溜まる。【００１５】  そぎ取り部１はその左右両側で握り部（右の握り）３、及び握り部（左の握り）４と一体となる。握り部はひっつき虫取り除き用具１５を手で持ち、そして動かすための握りの役目を持つ。右腕に付着したひっつき虫を取り除くには右の握りを左手で握って用い、左腕に付着したひっつき虫を取り除くには左の握りを右手で握って用いることで左右どちらの腕に付着したひっつき虫も取り除くことができる。握り部は手で持ちやすい形状であればよく、板状、円柱状、及び楕円柱状などが考えられる。【００１６】  ひっつき虫取り除き用具１５は、そぎ取り部１、返し受け部２、及び握り部（右の握り）３、握り部（左の握り）４ともにポリプロピレン等の合成樹脂から成形されることが望ましい。
【実施例２】
【００１７】  図４から図６には、本考案の第２実施形態を示す。この実施形態においては、第１実施形態における返し受け部上面８、及び返し受け部側面９がそぎ取り部先端５まで延長した形状となっている。【００１８】  ひっつき虫取り除き用具３５はそぎ取り部２１、返し受け部２２、握り部（右の握り）２３、握り部（左の握り）２４、そぎ取り部先端２５、表側面２６、裏側面２７、返し受け部上面２８、返し受け部側面２９、及び返し受け部底面３０を備えている。【００１９】  第２実施形態における第１実施形態と異なる特徴は、表側面２６、及び返し受け部側面２９が筒状をなすため、そぎ取り部２１で衣服からそぎ取られたひっつき虫が、返し受け部２２に溜まりやすくなっている点である。
【産業上の利用可能性】
【００２０】  本考案によるひっつき虫取り除き用具は、農作業、草刈等をした後に衣服に付着した野草の種子等を取り除くことに用いられるものである。
【符号の説明】
【００２１】  １、２１：そぎ取り部
２、２２：返し受け部
３、２３：握り部（右の握り）
４、２４：握り部（左の握り）
５、２５：そぎ取り部先端
６、２６：表側面
７、２７：裏側面
８、２８：返し受け部上面
９、２９：返し受け部側面
１０、３０：返し受け部底面
１５、３５：ひっつき虫取り除き用具
【図１】
0003157306.tif 000003
【図２】
0003157306.tif 000004
【図３】
0003157306.tif 000005
【図４】
0003157306.tif 000006
【図５】
0003157306.tif 000007
【図６】
0003157306.tif 000008